(57)【要約】【課題】本発明は、空気清浄機において、内部循環のショートサーキットの抑制を図ることを目的とするものである。【解決手段】吸気口４と排気口５を有する本体ケース６と、この本体ケース６内に送風手段７と、空気清浄手段８と、活性物質発生手段１５とを備え、空気清浄運転と内部クリーニング運転を行う空気清浄機１において、吸気口開閉板１２と、排気口開閉板１３と、空気清浄運転時に空気清浄手段８により清浄された空気を排気口５から排出する排気経路Ａと、内部クリーニング運転時に空気清浄手段８により清浄された空気を空気清浄手段８の上流側に戻す循環経路Ｂとを形成するように、空気清浄運転時と内部クリーニング運転時で送風経路を切り替える風路切替板１４を設け、内部クリーニング運転時に活性物質発生手段１５で発生させた活性物質を空気清浄手段８の下部側に向けて送る活性物質移送手段１６を空気清浄手段８の上部近傍に設けた。【選択図】図３
2012066208.tif 000002
【特許請求の範囲】
【請求項１】
吸気口と排気口を有する本体ケースと、
この本体ケース内に設けた送風手段と、
前記吸気口から吸込んだ空気を清浄する空気清浄手段と、
前記送風手段の下流側に活性物質発生手段を備え、空気清浄運転と内部クリーニング運転を行う空気清浄機において、
前記吸気口を開閉する吸気口開閉板と、
前記排気口の開閉する排気口開閉板と、
空気清浄運転時に前記空気清浄手段により清浄された空気を前記排気口から排出する排気経路と、内部クリーニング運転時に前記空気清浄手段により清浄された空気を前記空気清浄手段の上流側に戻す循環経路とを形成するように、空気清浄運転時と内部クリーニング運転時で送風経路を切り替える風路切替板を設け、
内部クリーニング運転時に前記活性物質発生手段で発生させた活性物質を前記空気清浄手段の下部側に向けて送る活性物質移送手段を前記空気清浄手段の上部近傍に設けたことを特徴とする空気清浄機。
【請求項２】
活性物質移送手段は吸気口開閉板と一体となっていることを特徴とする請求項１に記載の空気清浄機。
【請求項３】
活性物質移送手段は鉛直方向に中空をなす矩形形状で、上面と下面を開口させたことを特徴とする請求項１または２に記載の空気清浄機。
【請求項４】
内部クリーニング運転時に活性物質移送手段の空気清浄手段側の側面が空気清浄手段の近傍に位置することを特徴とする請求項３に記載の空気清浄機。
【請求項５】
活性物質移送手段の開口の吸気口開閉板との距離が上面より下面が短いことを特徴とした請求項３または４に記載の空気清浄機。
【請求項６】
活性物質移送手段の鉛直長さは空気清浄手段上端から送風手段の吸込み中心軸までの距離より短いことを特徴とする請求項５に記載の空気清浄機。
【発明の詳細な説明】
【技術分野】
【０００１】
本発明は、室内空気の空気清浄を行う空気清浄機に関するものである。
【背景技術】
【０００２】
従来、この種の空気清浄機は、以下のような構成となっていた。
【０００３】
すなわち、フィルタの下流側と空気吹出口とを連通し、空気清浄運転時にフィルタにより清浄された空気を空気吹出口から排出する送出通路と、送出通路とフィルタの上流側とを連通し、内部クリーニング運転時にフィルタにより清浄された空気をフィルタの上流側に戻すバイパス通路と、空気の流れを切り替える切替手段と、殺菌物質発生装置とを設けた構成となっていた（例えば、これに類似する先行文献として下記特許文献１が存在する）。
【先行技術文献】
【特許文献】
【０００４】
【特許文献１】特開２００５−４６８００号公報
【発明の概要】
【発明が解決しようとする課題】
【０００５】
上記従来例における課題は、内部クリーニング運転時にフィルタの下部側へ殺菌物質が行き渡らないということであった。
【０００６】
すなわち、空気清浄運転時には空気吹出口から空気を排出し、内部クリーニング運転時にはフィルタの上流側に空気を戻し殺菌物質発生装置を作動することで殺菌物質が本体内を内部循環するようになっている。
【０００７】
しかしながら、フィルタの下部側からほこりが蓄積すると圧力損失が上昇し、下部側に風が流れにくくなり、風は圧力損失の低い上部側へ流れることとなる。
【０００８】
従って、この状態において、殺菌物質発生装置が動作すると、殺菌物質を含んだ風はフィルタの上部側を多く通過し、下部側には風が通過しなくなるため、下部側の殺菌が不十分となり、空気清浄運転においてフィルタが不潔なまま使用されることとなる。
【０００９】
そこで、本発明は、上述のような圧力損失の低い上部側にのみ風が流れ下部側に風が流れなくなる内部循環のショートサーキットの発生を抑制することを目的とするものである。
【課題を解決するための手段】
【００１０】
そして、この目的を達成するために、吸気口と排気口を有する本体ケースと、この本体ケース内に設けた送風手段と、前記吸気口から吸込んだ空気を清浄する空気清浄手段と、前記送風手段の下流側に活性物質発生手段を備え、空気清浄運転と内部クリーニング運転を行う空気清浄機において、前記吸気口を開閉する吸気口開閉板と、前記排気口の開閉する排気口開閉板と、空気清浄運転時に前記空気清浄手段により清浄された空気を前記排気口から排出する排気経路と、内部クリーニング運転時に前記空気清浄手段により清浄された空気を前記空気清浄手段の上流側に戻す送風経路とを形成するように、空気清浄運転時と内部クリーニング運転時で循環経路を切り替える風路切替板を設け、内部クリーニング運転時に前記活性物質発生手段で発生させた活性物質を前記空気清浄手段の下部側に向けて送る活性物質移送手段を前記空気清浄手段の上部近傍に設け、これにより初期の目的を達成するものである。
【発明の効果】
【００１１】
以上のように本発明は、吸気口と排気口を有する本体ケースと、この本体ケース内に設けた送風手段と、前記吸気口から吸込んだ空気を清浄する空気清浄手段と、前記送風手段の下流側に活性物質発生手段を備え、空気清浄運転と内部クリーニング運転を行う空気清浄機において、前記吸気口を開閉する吸気口開閉板と、前記排気口の開閉する排気口開閉板と、空気清浄運転時に前記空気清浄手段により清浄された空気を前記排気口から排出する排気経路と、内部クリーニング運転時に前記空気清浄手段により清浄された空気を前記空気清浄手段の上流側に戻す循環経路とを形成するように、空気清浄運転時と内部クリーニング運転時で送風経路を切り替える風路切替板を設け、内部クリーニング運転時に前記活性物質発生手段で発生させた活性物質を前記空気清浄手段の下部側に向けて送る活性物質移送手段を前記空気清浄手段の上部近傍に設けたものであり、内部循環のショートサーキットの発生を抑制することができる。
【００１２】
すなわち、本発明において、内部クリーニング運転時にはフィルタの上部側に活性物質移送手段が設けられるため、上部側のプレフィルタ表面には風が通らず、内部循環の風はフィルタの下側を通過することになるので、その結果としてプレフィルタの下部側に活性物質を含んだ風が循環するようになる。
【００１３】
すると、プレフィルタ下部側に対して活性物質を接触させることができるため、プレフィルタ上を清潔に保つことができる。
【００１４】
このため、ほこりの蓄積によってフィルタ下部側に風が通りにくくなっても、内部クリーニング運転時に内部循環のショートサーキットの発生を抑制することができるのである。
【図面の簡単な説明】
【００１５】
【図１】本発明の一実施形態の空気清浄機の使用状態を示した斜視図
【図２】同空気清浄機の空気清浄運転時の断面を示す構成図
【図３】同空気清浄機の内部クリーニング運転時の断面を示す構成図
【図４】同空気清浄機の前面パネルと活性物質移送手段の斜視図
【図５】同空気清浄機の前面パネルと活性物質移送手段の斜視図
【図６】同空気清浄機の内部クリーニング運転時の活性物質移送手段の断面を示す構成図
【発明を実施するための形態】
【００１６】
以下、本発明の一実施形態を、添付図面を用いて説明する。
【００１７】
（実施の形態）
図１において、空気清浄機１は、室内２の床３上に設置され、後述するように、空気清浄運転と、内部クリーニング運転を選択的に行うことができるようになっている。
【００１８】
前記空気清浄機１は、図２、図３に示すように、前面側の吸気口４と、上面側の排気口５を有する箱型の本体ケース６を有する。
【００１９】
また、前記本体ケース６の吸気口４近傍には、空気清浄手段８が設置されている。空気清浄手段８はプレフィルタ９、集塵フィルタ１０と、脱臭フィルタ１１によって構成されている。さらに、前記空気清浄手段８と前記排気口５の間に送風手段７を設けている。送風手段７の後段には活性物質発生手段１５を備えている。
【００２０】
前記送風手段７はターボファンにて構成され、しかもその外周に送風ガイドを設けていないので、その全周方向が空気の吹出す方向となっている。なお、送風手段７は風量や騒音条件によってシロッコファンによって構成されてもよい。
【００２１】
また、吸気口４と排気口５にはそれぞれ開閉を行う吸気口開閉板１２と排気口開閉板１３が設けられている。
【００２２】
このような送風手段７の吹出側から前記本体ケース６の排気口５の間には、空気清浄運転時の送風経路である、この送風手段７の吸気口４から排気口５を結ぶ排気経路Ａと、内部クリーニング運転時の送風経路である、前記送風手段７の吹出側から前記空気清浄手段８の上部側、下部側を介して前記送風手段７を結ぶ循環経路Ｂが形成されている。
【００２３】
また、前記本体ケース６の排気口５の近傍において、前記排気経路Ａと、循環経路Ｂを選択的に開閉する風路切替板１４を設けている。
【００２４】
さらに、吸込開閉手段には活性物質移送手段１６が設けられている。
【００２５】
上記構成において、図２は空気清浄機１を空気清浄運転している状態を示している。
【００２６】
すなわち、吸気口４と排気口５が吸気口開閉板１２と排気口開閉板１３によって開かれている。また、風路切替板１４によって選択的に閉じられることによって、吸気口４から空気清浄手段８を通過して、送風手段７の吹出し側から排気口５へと流れる排気経路Ａが、形成される。
【００２７】
この場合、送風手段７を駆動すると、本体ケース６の吸気口４から吸込まれた空気は、プレフィルタ９、集塵フィルタ１０、脱臭フィルタ１１、の順に通過し、通過する際に、プレフィルタ９においては粗ホコリ、集塵フィルタ１０においては、埃、アレルゲン等が濾し取られ、脱臭フィルタ１１においては、脱臭フィルタ１１内に充填された活性炭で臭気成分が吸着され、この結果として空気が浄化される。
【００２８】
そして、このように浄化された空気が送風手段７の吸込側から吸込まれ、その全周から吹き出される。さらに、活性物質発生手段１５によって発生した活性物質を含んだ状態で排気口５から室内へ放出される。
【００２９】
このように排気経路Ａに送風する運転を、上述のごとく空気清浄運転という。
【００３０】
この空気清浄運転においては、活性物質移送手段１６は、吸気口開閉板１２と一体となっており、吸気風路上で圧力損失体とならないようになっている。
【００３１】
一方、図３は内部クリーニング運転を示しており、この時には、吸気口４と排気口５が吸気口開閉板１２と排気口開閉板１３によって閉じられている。また、風路切替板１４が開かれ、排気口５と吸気口４の上部が連通した循環経路Ｂが形成される。
【００３２】
したがって、内部クリーニング運転が始まり、活性物質発生手段１５が動作し、送風手段（ターボファン）７を駆動すると、本体ケース６内の空気は、風路切替板１４によって開成された風路を通過する。それから、吸気口開閉板１２と空気清浄手段８の間に形成された風路にプレフィルタ９の上部側から流れることとなる。このとき、一部の風は中空をなす吸気口開閉板１２の中を通過し、プレフィルタ９の下部側へと到達する。
【００３３】
すなわち、内部クリーニング運転時にはプレフィルタ９の上部側に活性物質移送手段１６が設けられるため、上部側のプレフィルタ９表面には風が通らず、内部循環の風はフィルタの下部側を通過することになるので、その結果としてプレフィルタ９の下部側に活性物質を含んだ風が循環するようになる。
【００３４】
すると、プレフィルタ９下部側のほこりに対して活性物質を接触させることができる。
【００３５】
ここで、活性物質を含んだ風は、プレフィルタ９の下部側に多く蓄積したほこり中に含まれる細菌、カビ、アレルゲン物質を失活させ、さらに後段の集塵フィルタ１０中に含まれる細菌、カビ、アレルゲン物質も失活させることができる。
【００３６】
このため、ほこりの蓄積によってプレフィルタ９下部側に風が通りにくくなっても、内部クリーニング運転時に内部循環のショートサーキットの発生を抑制することができるのである。
【００３７】
このように排気経路Ａを閉成し、循環経路Ｂに送風する運転を、上述のごとく内部クリーニング運転という。
【００３８】
また、図４、図５、図６に示すように、活性物質移送手段１６の理解を助けるために図を用いながら説明する。
【００３９】
図４に示すように、活性物質移送手段１６は吸気口開閉板１２と一体となっているため、空気清浄運転時には風路活性物質移送手段とならずクリーニング運転時にプレフィルタ９の下部側に活性物質を移送することができるため、プレフィルタ９上を清潔に保つことができる。
【００４０】
なお、活性物質移送手段１６と吸気口開閉板１２とを一体とせずに、活性物質移送手段１６に駆動手段を備え、内部クリーニング運転時に活性物質移送手段１６をプレフィルタ９の上部から下部側へ風路部分を閉塞するように動作する構成であってもよい（図示せず）。
【００４１】
また、活性物質移送手段１６は鉛直方向に中空をなす矩形形状１７で、上面１８と下面１９を開口させているため、プレフィルタ９上部側の表面に活性物質を含んだ風を接触しにくくし、プレフィルタ９の下部側に活性物質を含んだ風を移送することができるため、プレフィルタ９上を清潔に保つことができる。
【００４２】
また、内部クリーニング運転時に活性物質移送手段１６の空気清浄手段８側の側面が空気清浄手段８の近傍に位置するため、プレフィルタ９上部側の表面に活性物質を含んだ風を接触しにくくし、プレフィルタ９の下部側に活性物質を含んだ風を移送することができるため、プレフィルタ９上を清潔に保つことができる。
【００４３】
また、図５に示すように、活性物質移送手段１６の開口の吸気口開閉板１２との距離が上面２１より下面２２が短いため、プレフィルタ９上部側の表面に活性物質を含んだ風を接触しにくくし、プレフィルタ９の下部側に活性物質を含んだ風を移送することができるため、プレフィルタ９上を清潔に保つことができる。
【００４４】
また、図６に示すように、活性物質移送手段１６の鉛直長さＬ１は空気清浄手段８上端から送風手段の吸込み中心軸までの距離Ｌ２より短いため、プレフィルタ９上部側の表面に活性物質を含んだ風を接触しにくくし、プレフィルタ９の下部側に活性物質を含んだ風を移送することができるため、プレフィルタ９上を清潔に保つことができる。なお、図６に示すように活性物質移送手段１６の開口の吸気口開閉板１２との距離が上面２１より下面２２が短い構成とすることにより、活性物質移送手段１６の空気清浄手段８側の側面に沿って活性物質が移送されることとなり、プレフィルタ９の下部側の遠方へと活性物質を含んだ風を移送することができる。
【産業上の利用可能性】
【００４５】
以上のごとく本発明においては、内部クリーニング運転時にはフィルタの上部側に活性物質移送手段が設けられるため、上部側のフィルタ表面には風が通らず、内部循環の風はフィルタの下側を通過することになるので、その結果としてフィルタの下部側に殺菌物質を含んだ風が循環するようになる。
【００４６】
すると、フィルタ下部側のほこりにも殺菌物質を接触させることができ、内部循環のショートサーキットの状態にはならなくなる。
【００４７】
このため、内部クリーニング運転時にほこりの蓄積によってフィルタ下部側に風が通りにくくなっても、内部循環のショートサーキットの発生を抑制することができるのである。
【００４８】
したがって、空気清浄機、加湿空気清浄機として極めて有用なものとなる。
【符号の説明】
【００４９】
１    空気清浄機
２    室内
３    床
４    吸気口
５    排気口
６    本体ケース
７    送風手段
８    空気清浄手段
９    プレフィルタ
１０  集塵フィルタ
１１  脱臭フィルタ
１２  吸気口開閉板
１３  排気口開閉板
１４  風路切替板
１５  活性物質発生手段
１６  活性物質移送手段
１７  矩形形状
１８  上面
１９  下面
２１  上面
２２  下面
【図１】
2012066208.tif 000003
【図２】
2012066208.tif 000004
【図３】
2012066208.tif 000005
【図４】
2012066208.tif 000006
【図５】
2012066208.tif 000007
【図６】
2012066208.tif 000008